(57)【特許請求の範囲】
【請求項１】
第１・第２光ファイバ同士を接続するために、アダプタを第１プラグと第２プラグとの間に介在させた光コネクタであって、
前記アダプタは、長手方向に沿って第１・第２端部を持つように延びる管状の外殻部材であって、前記第１・第２アダプタ端部は、前記第１・第２プラグをそれぞれ収納するように前記長手方向に沿って第１・第２挿入口を持つ第１・第２対向端部と、第１・第２係止溝を持つ第１・第２外周端部とから成り、
前記第１プラグは、
前記第１光ファイバを挿入するための第１挿通穴および前記第１係止溝に嵌まる第１係合凸部を持つ第１インナーボディと、前記第１光ファイバを収納し装着・保持する第１フェルールとを有し、
前記第２プラグは、
前記第２光ファイバを挿入するための第２挿通穴および前記第２係止溝に嵌まる第２係合凸部を持つ第２インナーボディと、前記第２光ファイバを装着・保持する第２フェルールとを有し、
前記第１フェルールおよび前記第２フェルールは、互いに接合するフェルール端面を持つフェルール本体と、矩形状の第１・第２フェルールフランジ部とをそれぞれ有し、
前記第２プラグは、前記第１・第２フェルールが互いに接合するときに位置決めする筒状の調芯部材と、前記調芯部材の外周端に配されたカラーと、前記第２フェルールを付勢する弾性部材とを有し、それにより、前記調芯部材が前記カラーによって第１・第２フェルール接合点の中間部に位置決めされると共に、第１・第２フェルールが、互いに押圧され、
前記第１・第２アダプタ端部は、前記第１・第２インナーボディおよび前記第１・第２フェルールフランジ部を収納する矩形状の角穴部がそれぞれ形成され、それによって、
前記第１・第２フェルールは、前記第１・第２インナーボディの間に挟持され、ロック・保持されることを特徴とする光コネクタ。
【請求項２】
請求項１に記載の光コネクタにおいて、
前記外殻部材の第１・第２対向端部は、矩形状の開口を持ち、その対角線上の両隅から前記第１・第２外周端部の第１・第２係止溝の近傍まで前記長手方向に沿って逃げ凹部が、それぞれ形成されていることを特徴とする光コネクタ。
【請求項３】
第１・第２光ファイバ同士を接続するために、アダプタを第１プラグと第２プラグとの間に介在させた光コネクタであって、
前記アダプタは、長手方向に沿って第１・第２端部を持つように延びる管状の外殻部材であって、前記第１・第２アダプタ端部は、前記第１・第２プラグをそれぞれ収納するように前記長手方向に沿って第１・第２挿入口を持つ第１・第２対向端部と、第１・第２係止溝を持つ第１・第２外周端部とから成り、前記第１係止溝は、フェルール接続位置側の仮挿入用の大溝と、外周端側の固定用の小溝とから成るＴ形状を呈するように穿設されており、前記第１係止溝の小溝は、テーパ部を有し、
前記第１プラグは、
前記第１光ファイバを挿入するための第１挿通穴および前記第１係止溝に嵌まる第１係合凸部を持つ第１インナーボディと、前記第１光ファイバを収納し装着・保持する第１フェルールとを有し、
前記第２プラグは、
前記第２光ファイバを挿入するための第２挿通穴および前記第２係止溝に嵌まる第２係合凸部を持つ第２インナーボディと、前記第２光ファイバを装着・保持する第２フェルールとを有し、
前記第１フェルールおよび前記第２フェルールは、互いに接合するフェルール端面を持つフェルール本体と、矩形状の第１・第２フェルールフランジ部とをそれぞれ有し、
前記第２プラグは、前記第１・第２フェルールが互いに接合するときに位置決めする筒状の調芯部材を有し、
前記第１・第２アダプタ端部は、前記第１・第２インナーボディおよび前記第１・第２フェルールフランジ部を収納する矩形状の角穴部がそれぞれ形成され、それによって、
前記第１・第２フェルールは、前記第１・第２インナーボディの間に挟持され、ロック・保持されることを特徴とする光コネクタ。
【発明の詳細な説明】
【０００１】
【発明の属する技術分野】
本発明は、光ファイバ同士の接続するための光コネクタ、特に、アダプタを同一のプラグ２個の間に介在させて接続するタイプ（ＪＩＳ  Ｆ０４等）の光コネクタに関するものである。
【０００２】
【従来の技術】
この種の光コネクタのＪＩＳ  Ｆ０４型の従来例として、特願昭６０−２１８９３２号および特開平６−５１１６５号がある。
【０００３】
ところで、光コネクタに使用される光ファイバは、導波部が、１０μｍ程度であって非常に小さい（シングルモードファイバ：１０μｍ、マルチモードファイバ：５０μｍ）。そのため、僅かなゴミが光コネクタのフェルール端面に付着しただけでも、性能が劣化してしまう。
【０００４】
【発明が解決しようとする課題】
特開平６−５１１６５の光コネクタでは、プラグフレーム係止溝は、長手方向にかなり長く穿設する必要がある。そのため、この従来例の構造では、小形化の妨げになるという欠点がある。
【０００５】
そこで、本発明の課題は、専用の治具を用いなくても着脱の操作性が良く、インラインフィルタに使用可能な光学特性の優れた高性能で、小形な光コネクタを提供することにある。
【０００６】
【課題を解決するための手段】
本発明は、前記課題を解決するため、次の手段を採用する。
【０００７】
（１）  第１・第２光ファイバ同士を接続するために、アダプタを第１プラグと第２プラグとの間に介在させた光コネクタであって、
前記アダプタは、長手方向に沿って第１・第２端部を持つように延びる管状の外殻部材であって、前記第１・第２アダプタ端部は、前記第１・第２プラグをそれぞれ収納するように前記長手方向に沿って第１・第２挿入口を持つ第１・第２対向端部と、第１・第２係止溝を持つ第１・第２外周端部とから成り、
前記第１プラグは、
前記第１光ファイバを挿入するための第１挿通穴および前記第１係止溝に嵌まる第１係合凸部を持つ第１インナーボディと、前記第１光ファイバを収納し装着・保持する第１フェルールとを有し、
前記第２プラグは、
前記第２光ファイバを挿入するための第２挿通穴および前記第２係止溝に嵌まる第２係合凸部を持つ第２インナーボディと、前記第２光ファイバを装着・保持する第２フェルールとを有し、
前記第１フェルールおよび前記第２フェルールは、互いに接合するフェルール端面を持つフェルール本体と、矩形状の第１・第２フェルールフランジ部とをそれぞれ有し、
前記第２プラグは、前記第１・第２フェルールが互いに接合するときに位置決めする筒状の調芯部材と、前記調芯部材の外周端に配されたカラーと、前記第２フェルールを付勢する弾性部材とを有し、それにより、前記調芯部材が前記カラーによって第１・第２フェルール接合点の中間部に位置決めされると共に、第１・第２フェルールが、互いに押圧され、
前記第１・第２アダプタ端部は、前記第１・第２インナーボディおよび前記第１・第２フェルールフランジ部を収納する矩形状の角穴部がそれぞれ形成され、それによって、
前記第１・第２フェルールは、前記第１・第２インナーボディの間に挟持され、ロック・保持されることを特徴とする光コネクタ。
【０００９】
（２）  （１）に記載の光コネクタにおいて、
前記外殻部材の第１・第２対向端部は、矩形状の開口を持ち、その対角線上の両隅から前記第１・第２外周端部の第１・第２係止溝の近傍まで前記長手方向に沿って逃げ凹部が、それぞれ形成されていることを特徴とする光コネクタ。
【００１０】
（３）  第１・第２光ファイバ同士を接続するために、アダプタを第１プラグと第２プラグとの間に介在させた光コネクタであって、
前記アダプタは、長手方向に沿って第１・第２端部を持つように延びる管状の外殻部材であって、前記第１・第２アダプタ端部は、前記第１・第２プラグをそれぞれ収納するように前記長手方向に沿って第１・第２挿入口を持つ第１・第２対向端部と、第１・第２係止溝を持つ第１・第２外周端部とから成り、前記第１係止溝は、フェルール接続位置側の仮挿入用の大溝と、外周端側の固定用の小溝とから成るＴ形状を呈するように穿設されており、前記第１係止溝の小溝は、テーパ部を有し、
前記第１プラグは、
前記第１光ファイバを挿入するための第１挿通穴および前記第１係止溝に嵌まる第１係合凸部を持つ第１インナーボディと、前記第１光ファイバを収納し装着・保持する第１フェルールとを有し、
前記第２プラグは、
前記第２光ファイバを挿入するための第２挿通穴および前記第２係止溝に嵌まる第２係合凸部を持つ第２インナーボディと、前記第２光ファイバを装着・保持する第２フェルールとを有し、
前記第１フェルールおよび前記第２フェルールは、互いに接合するフェルール端面を持つフェルール本体と、矩形状の第１・第２フェルールフランジ部とをそれぞれ有し、
前記第２プラグは、前記第１・第２フェルールが互いに接合するときに位置決めする筒状の調芯部材を有し、
前記第１・第２アダプタ端部は、前記第１・第２インナーボディおよび前記第１・第２フェルールフランジ部を収納する矩形状の角穴部がそれぞれ形成され、それによって、
前記第１・第２フェルールは、前記第１・第２インナーボディの間に挟持され、ロック・保持されることを特徴とする光コネクタ。
【００１２】
【作用】
本発明の光コネクタのアダプタは、長手方向に沿って第１・第２アダプタ端部を持つように延びる管状の外殻部材である。第１プラグおよび第１光ファイバが第１アダプタ端部の第１対向端の挿入口から挿入される一方、第２プラグおよび第２光ファイバは、第２端部の第２対向端の挿入口から挿入される。
【００１３】
光コネクタの嵌合のときには、第１プラグの第１インナーボディの第１係合凸部は、第１アダプタ端部の第１対向端における隅の逃げ凹部に遊挿された後、第１係止溝の大溝に仮に挿入される。その後、第１係合凸部は小溝に嵌まって引っ掛かって、固定される。
【００１４】
同様に、第２プラグが、第２アダプタ端部における第２対向端の挿入口から挿入される。
【００１５】
光コネクタの内部を詳しく述べると、外殻部材の中では、調芯部材の中でフェルール端面同士は接触し、調芯部材はカラーによって第１・第２フェルールの接合点（接触部）の中間部に位置決めされる。
【００１６】
同時に、弾性部材によって第１・第２フェルールが、互いに押圧される。そのため、フェルール同士はインナーボディ間に挟持され、組み立てが容易になる。従って、本発明の光コネクタでは、専用の治具を用いなくても着脱自在となって操作性が良くなる。
【００１７】
このように、係合凸部は係止溝の小溝に嵌まって引っ掛かかって、係止溝は長手方向には小スペースで済むので、光コネクタの小型化が可能となる。
【００１８】
また、矩形のフェルールフランジ部は、外殻部材のアダプタ端部の角穴部にそれぞれ嵌め込まれる結果、フェルール同士は回転しないで矩形のフェルールフランジ部の間に挟持される。それ故、フェルール端面同士は、外殻部材の中間部の丸穴の所望の位置に配され、互いに接合するとともに保持（ロック）される。
【００１９】
このように、光コネクタが嵌合される結果、フェルールの回転が防止され、性能がばらつかなくなる。
【００２０】
しかも、フェルール端面に所望のフィルタを成膜すれば、本発明の光コネクタは、インラインフィルタとして使用でき、高性能な光コネクタになる。
【００２１】
【発明の実施の形態】
本発明の一実施例による光コネクタ１１を図面を用いて説明する。
【００２２】
図１〜図１６を参照して、光コネクタ１１は、第１・第２光ファイバ１０−１、１０−２同士を接続するために、アダプタ１３を第１プラグ２３と第２プラグ３３との間に介在させたもので、これら３つの主要部品で構成される。
【００２３】
図１および図２に示す光コネクタ１１のアダプタ１３は、長手方向に延びる矩形の管状の外殻部材（アウターボディ）である。図３に示すように、アダプタ１３の第１・第２アダプタ端部１５−１、１５−２は、第１・第２角穴部をそれぞれ持つ第１・第２対向端部と、第１・第２外周端部とをそれぞれ有する。
【００２４】
尚、両角穴部は、後述する丸長穴１７−１を介してそれぞれ連通しており、第１プラグ２３および第２プラグ３３の部品を前後からそれぞれ受ける挿入口である。
【００２５】
一方、アダプタ１３の長手方向の中央から前方へその１／４まで延びる中間部１７は、後述する互いに接合するフェルール端面同士の接続位置を保持するための丸長穴１７−１が形成されている。この丸長穴１７−１の前縁には、テーパ部（ボス１７−２）は、挿入ガイドとして、端面部Ａ（図３参照）がストッパとして作用する。
【００２６】
図２、図３、および図４を参照して、外殻部材（アウターボディ）１３の第１アダプタ端部１５−１における第１外周端部の上下面には、第１係止溝１６−１ａ，１６−１ｂが、第２アダプタ端部１５−２における第２外周端部の上下面には、第２係止溝１６−２ａ，１６−２ｂが、それぞれ形成されている。第１係止溝１６−１ａ，１６−１ｂおよび第２係止溝１６−２ａ，１６−２ｂは、フェルール接続位置側の大溝と、外周端側の小溝とのＴ形状に形成されている。
【００２７】
尚、図５に示すように、第１係止溝１６−１ａ，１６−１ｂおよび第２係止溝１６−２ａ，１６−２ｂの小溝は、テーパ部（台形状）を有しても良い。この変形例では、第１係止溝１６−１ａ，１６−１ｂおよび第２係止溝１６−２ａ，１６−２ｂは、台形状小溝を持つ２段溝として形成される結果、第１・第２インナーボディ２９、３９の凸部分（第１係合凸部）２７−１，２７−２、３７（２７と同様に２ケ所の凸部有り）は、実施例より外れ難くなる。
【００２８】
また、図１４および図１５を参照して、外殻部材（アウターボディ）１３は、長手方向に直交する矩形の両対向端部を持ち、各角穴部が形成されている。各対向端部の一対角線上の両隅から第１・第２外周端部の第１・第２係止溝１６−１ａ，１６−１ｂ、１６−２ａ，１６−２ｂの大溝の近傍まで長手方向に沿って逃げ凹部２８−１、２８−２が、形成されている。
【００２９】
尚、図１６に示すように、矩形端部の両対角線上の４隅に、逃げ凹部２８−１、２８−２、２８−３、および２８−４を形成したものであっても良い。
【００３０】
第１プラグ２３は、第１光ファイバ１０−１を収納するための第１挿通穴２５および第１係止溝１６−１ａ、１６−１ｂに嵌まる凸部分（第１係合凸部）２７を持つ第１インナーボディ２９と、第１光ファイバ１０−１を装着・保持する第１フェルール３１とを有する。第１フェルール３１は、フェルール端面３１−１を備える。
【００３１】
一方、第２プラグ３３は、第２光ファイバ１０−２を収納するための第２挿通穴３５および第２係止溝１６−２ａ、１６−２ｂに嵌まる第２係合凸部３７を持つ第２インナーボディ３９と、第２光ファイバ１０−２を装着・保持する第２フェルール４１とを有する。光ファイバ１０−１、光ファイバ１０−２とフェルール３１、４１とは、接着により保持固定されても良い。
【００３２】
ところで、第１フェルール３１および第２フェルール４１は、同一部材であって、ジルコニアまたは結晶化ガラスで形成されたφ１．２５ｍｍ円筒部すなわちフェルール端面３１−１、４１−１を持つフェルール本体と、ステンレスで形成された矩形のフェルールフランジ部３１−２、４１−２とから成る。矩形のフェルールフランジ部３１−２、４１−２は、それぞれの角穴部に配され、中央部１７を挟持する結果、フェルール本体のフェルール端面３１−１、４１−１同士の回転を抑制し防止するように設定されている。
【００３３】
第２プラグ３３は、フェルール端面３１−１と４１−１とを互いに接合するのを位置決めする調芯部材としての割りスリーブ４３、この割りスリーブ４３内でのフェルール接続位置を一定にするために割りスリーブ４３の外周端部に配されたカラー４５と、第２フェルール４１を押圧するコイルスプリング（弾性部材）４７とを更に有する。詳しく述べると、カラー４５は、外殻部材（アウターボディ）１３の中間部１７において割りスリーブ４３がフェルール端面３１−１、４１−１同士の接合を完全に覆うように、位置決めする。
【００３４】
図１４および図１５を参照して、光コネクタ１１の組み立て手順を述べる。
【００３５】
まず、図１５のステップ１に示すように、インナーボディ２９の上下凸部分（第１係合凸部）２７−１および２７−２をアウターボディ１３の逃げ凹部２８−１の隅の位置と合うように斜めにしながら、アウターボディ１３の前方の部品挿入口すなわち第１アダプタ端部１５−１における角穴部に第１フェルール３１及びインナーボディ２９を挿入する。
【００３６】
次に、図１５のステップ２においては、図３も参照して、インナーボディ２９の上下凸部分（第１係合凸部）２７−１および２７−２を第１係止溝１６−１ａおよび第２係止溝１６−１ｂの近傍まで更に押し込んで挿入する。
【００３７】
ステップ３では、インナーボディ２３を回転させる。
【００３８】
ステップ４では、アウターボディ１３の第１係止溝１６−１ａおよび第２係止溝１６−１ｂにおける小溝にインナーボディ２９の凸部２７−１を引っ掛けて、固定する。
【００３９】
また、アウターボディ１３の後方の部品挿入口より、割りスリーブ４３、第２フェルール４１、コイルスプリング（弾性部材）４７、カラー４５、およびインナーボディ２９を挿入し、同様にして、固定する。本実施例ではコイルスプリング（弾性部材）４７を１個使用している。
【００４０】
ところで、上述した光コネクタ１１の組み立て手順は、逆であっても良い。すなわち、第２プラグ３３の割りスリーブ４３、第２フェルール４１、コイルスプリング（弾性部材）４７、カラー４５、およびインナーボディ２９を挿入した後、第１プラグ２３の第１フェルール３１及びインナーボディ２９を同様に挿入して、固定する。
【００４１】
図１０〜図１３を参照して、本発明の光コネクタ１１に使用されるフェルール端面３１−１および４１−１の研磨状態を述べる。
【００４２】
図１１においては、フェルール端面３１−１および４１−１には、凸球面（ＰＣ研磨面・ＡｄＰＣ研磨面）３１−１Ａおよび４１−１Ａが、加工・形成されている。
【００４３】
図１２においては、フェルール端面３１−１および４１−１には、斜め凸球面（アングルＰＣ研磨面）３１−１Ｂおよび４１−１Ｂが、加工・形成されている。
【００４４】
図１３においては、フェルール端面３１−１および４１−１には、斜め凸球面が、加工・形成されている。この場合、一方（左）のフェルール端面３１−１には、フィルタ（無反射膜）３１−１Ｃが、蒸着により成膜されている。
【００４５】
本発明の光コネクタ１１は、異なる波長（例えば、１．３μｍ、１．５５μｍ）を同時に伝送する場合には、一方のフェルール端面にフィルタを蒸着して成膜することにより、一方の波長のみ透過するような機能を持つ部品としても使用できる。
【００４６】
上述した矩形のフェルールフランジ部３１−２、４１−２の構造により、フェルール端が斜め凸球面（図１２および図１３）に加工されている場合、フェルール端同士の接合は、安定して行われ、フェルール同士は接続される。また、フェルール端が凸球面（図１０および図１１）に加工されている場合でも、常に一定条件（第１・第２部材は同一物を使用）で接続すると、より性能が安定する。
【００４７】
フェルール端が斜め凸球面（図１２および図１３）に加工されたフェルール同士の接続の場合、嵌合時のフェルールの回転を±２度以下に抑えることが必要である。フェルールの回転が発生すると、性能、損失が著しく劣化する。また、フェルール端が凸球面（図１０および図１１）に加工されたフェルール同士の接続の場合では、フェルールの回転による著しい性能、損失の劣化はない。
【００４８】
ところで、光ファイバは直径が１２５μｍある。しかしながら、フェルールに接着された光ファイバのコア部分は、１μｍ以下であるが、偏心してしまう。シングルモードファイバ同士の接続においては、コア部分が１μｍの軸ずれにより０．２ｄＢ程度の損失が発生する。上述したことは、発明者が行った評価試験によって判明しており、嵌合時に、フェルールは回転しないことが望ましい。
【００４９】
図１７を参照して、本発明の第二の実施例による光コネクタ１１は、コイルスプリング４８を２個使用するものである。この場合、アダプタ（アウターボディ）１３の中間部１７は、長手方向のほぼ中央に形成されている。
【００５０】
【発明の効果】
本発明の光コネクタは、フェルール同士をそれぞれのインナーボディで挟持する簡単な構成を備えるので、次のような効果を奏する。
【００５１】
１．専用の治具を用いないで、組み立てられる。その結果、着脱の操作性が良いため安価である。
【００５２】
２．フェルールの端面形状に関係なく接続でき汎用性が高い。そのため、インラインフィルタに使用可能となり、光学特性の優れた高性能な光コネクタが得られる。
【００５３】
３．嵌合時にフェルールに回転が発生し難い矩形形状部材構造であるため、性能のばらつきが少なく高性能な光コネクタが得られる。
【００５４】
４．係合凸部は係止溝の小溝に嵌まって引っ掛かかって、係止溝は長手方向には小スペースで済む。しかも、角穴部が形成された矩形形状部材を利用した保持（ロック）機構であるため、光コネクタの小型化が可能である。
【００５５】
５．フェルール同士を押圧するインナーボディを別体で構成したため、構造がシンプルで組み立てが容易になる。
【図面の簡単な説明】
【図１】本発明の実施の形態による光コネクタ１１の分解斜視図である。
【図２】図１の光コネクタ１１を構成するアダプタ１３の斜視図である。
【図３】図２のアダプタ１３を斜めに切断した一部断面斜視図である。
【図４】図２のアダプタ１３の第１アダプタ端部１５−１の拡大斜視図で、第１外周端部の上面には、第１係止溝１６−１ａが形成されている。
【図５】図４のアダプタ１３の第１アダプタ端部１５−１に係る変形例で、第１外周端部の上面には、第１係止溝１６−１Ａが形成されている。第１係止溝１６−１Ａの小溝はテーパを持っている。
【図６】図１の光コネクタ１１を光ファイバ同士１０−１、１０−２と共に組み立てた後の光コネクタ１１の斜視図である。
【図７】図６の光コネクタ１１の嵌合状態を示す一部断面斜視図である。
【図８】図６の光ファイバ同士１０−１、１０−２と共に組み立てた後の光コネクタ１１の側面図である。
【図９】図６の光ファイバ同士１０−１、１０−２と共に組み立てた後の光コネクタ１１を長手方向に沿って縦に切断した断面図である。
【図１０】フェルール端面３１Ａ、４１Ａを持つフェルール同士の一部側面図であって、研磨状態の異なる第１の変形例の一部断面図でもある。
【図１１】図１０の中間部１７の拡大図である。
【図１２】図１０のフェルール端面３１Ｂ、４１Ｂを持つフェルール同士の一部側面図であって、研磨状態の異なる第２の変形例の中間部１７の拡大図である。
【図１３】図１０のフェルール端面３１Ｃ、４１Ｃを持つフェルール同士の一部側面図であって、研磨状態の異なる第３の変形例の中間部１７の拡大図である。
【図１４】インナーボディ２９をフェルール３１と共にアウターボディ１３内に組み込むときの手順を説明するための光コネクタ１１の対向端に沿って切断した断面図である。
【図１５】図１４の手順を説明するためのステップ１〜４の光コネクタ１１の対向端部に沿って切断した断面図およびステップ４の上面図である。
【図１６】アウターボディ１３の変形例の正面図である。第１対向端部は、その４隅に逃げ凹部２７−１、２７−２、２７−３、２７−４が、長手方向に沿って形成されている。
【図１７】本発明の第二の実施例による光コネクタ１１の長手方向に沿って縦に切断した断面図である。
【符号の説明】
１０−１、１０−２  光ファイバ
１１  光コネクタ
１３  アダプタすなわち矩形管状の外殻部材（アウターボディ）
１５−１  第１アダプタ端部（第１対向端および第１周端部）
１５−１Ａ  第１アダプタ端部
１５−２  第２アダプタ端部（第２対向端および第２周端部）
１６−１ａ、１６−１ｂ  第１係止溝
１７  中間部
１７−１  丸長穴
１７−２  ボス（ストッパ）
２３  第１プラグ
２５  第１挿通穴
２７−１  第１係合凸部
２７−２  第１係合凸部
２８−１  第１逃げ凹部
２８−２  第２逃げ凹部
２８−３  第３逃げ凹部
２８−４  第４逃げ凹部
２９  第１インナーボディ
３１  第１フェルール
３１−１  フェルール本体のフェルール端面
３１−２  フェルールフランジ部
３３  第２プラグ
３５  第２挿通穴
３７  第２係合凸部
３９  第２インナ−ボディ
４１  第２フェルール
４１−１  円筒状のフェルール本体のフェルール端面
４１−２  矩形状のフェルールフランジ部
４３  割りスリーブ
４５  カラー
４７  弾性部材（コイルスプリング）
【図１】
0003557519.tif 000002
【図２】
0003557519.tif 000003
【図３】
0003557519.tif 000004
【図４】
0003557519.tif 000005
【図５】
0003557519.tif 000006
【図６】
0003557519.tif 000007
【図７】
0003557519.tif 000008
【図８】
0003557519.tif 000009
【図９】
0003557519.tif 000010
【図１０】
0003557519.tif 000011
【図１１】
0003557519.tif 000012
【図１２】
0003557519.tif 000013
【図１３】
0003557519.tif 000014
【図１４】
0003557519.tif 000015
【図１５】
0003557519.tif 000016
【図１６】
0003557519.tif 000017
【図１７】
0003557519.tif 000018